【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
第１ユーザが有する第１ユーザ端末（Ａ）と、第２ユーザが有する第２ユーザ端末（Ｂ）と、前記第１ユーザ端末（Ａ）および前記第２ユーザ端末（Ｂ）と通信回線を介して通信可能であり、少なくとも前記第１ユーザの電子マネーを記憶する電子マネー管理サーバ（３００）とを用いて、前記第１ユーザから前記第２ユーザへの電子マネーの送金を行う電子マネー送金方法であって、
前記電子マネー管理サーバ（３００）および前記第１ユーザの端末（Ａ）は、前記第１ユーザの情報および／又はその情報と関連付けられた第１の証明情報を格納しているものであると共に、前記電子マネー管理サーバ（３００）および前記第２ユーザ端末（Ｂ）は、前記第２ユーザの情報および／又はその情報と関連付けられた第２の証明情報を格納しているものであり、
この方法は、
前記送金の際、
記第１ユーザ端末（Ａ）が、前記第２ユーザ端末（Ｂ）が出力した前記第２の証明情報の少なくとも一部の情報である第２端末情報を受けとり、前記第１ユーザ端末（Ａ）を介して前記第２端末情報が前記電子マネー管理サーバ（３００）に送信されるようになっていると共に、
前記第２ユーザ端末（Ｂ）が、前記第１ユーザ端末（Ａ）が出力した前記第１の証明情報の少なくとも一部の情報である第１端末情報を受けとり、この第２ユーザ端末（Ｂ）を介して前記第１端末情報が前記電子マネー管理サーバ（３００）に送信されるようになっており、
前記電子マネー管理サーバ（３００）は、
前記第１ユーザ端末（Ａ）から受信した前記第２端末情報が前記電子マネー管理サーバ（３００）に格納されている前記第２の証明情報と対応しているか否か、および前記第２ユーザ端末（Ｂ）から受信した前記第１端末情報が前記電子マネー管理サーバ（３００）に格納されている前記第１の証明情報と対応しているか否かを少なくとも判断することにより、前記第１ユーザ端末（Ａ）および前記第２ユーザ端末（Ｂ）の認証を行う認証工程と、
前記第１ユーザ端末（Ａ）から前記第２ユーザへの電子マネーの送金指示を受信すると共に、前記第２ユーザ端末（Ｂ）から前記第１ユーザからの電子マネーの受取指示を受信し、さらに前記第１ユーザ端末（Ａ）から前記第２ユーザへの送金額の受信又は前記第２ユーザ端末（Ｂ）から前記第１ユーザからの受取額の受信を行う指示受信工程と、
前記第１ユーザ端末（Ａ）から受信した前記送金額又は前記第２端末（Ｂ）から受信した前記受取額が前記電子マネー管理サーバ（３００）に記憶されている前記第１ユーザの電子マネーの残額内であるか否かの判断を少なくとも行う決済判断工程と、
前記決済判断工程において前記残額内であると判断されると、前記第受信した前記送金額／受取額を、前記第１ユーザから前記第２ユーザへの送金する決済処理を行う決済工程と
を行う
ことを特徴とする電子マネー送金方法。
【請求項２】
第１ユーザが有する第１ユーザ端末（Ａ）と、第２ユーザが有する第２ユーザ端末（Ｂ）と、少なくとも第１ユーザ端末（Ｂ）と通信回線を介して通信可能であり、少なくとも前記第１ユーザの電子マネーを記憶する電子マネー管理サーバ（３００）とを用いて、前記第１ユーザから前記第２ユーザへの電子マネーの送金を行う電子マネー送金方法であって、
前記電子マネー管理サーバ（３００）および前記第１ユーザの端末（Ａ）は、前記第１ユーザの情報および／又は前記第１ユーザ端末（Ａ）の情報と関連付けられた第１の証明情報を格納しているものであると共に、前記電子マネー管理サーバ（３００）および前記第２ユーザ端末（Ｂ）は、前記第２ユーザの情報および／又は前記第２ユーザ端末（Ｂ）の情報と関連付けられた第２の証明情報を格納しているものであり、
この方法は、
前記送金の際、前記第１ユーザ端末（Ａ）が、前記第２ユーザ端末（Ｂ）が出力した、前記第２の証明情報の少なくとも一部の情報である第２端末情報と、前記第２ユーザが前記第１ユーザから受取る電子マネーの受取額と、を受け取り、前記第１ユーザ端末（Ａ）を介して、前記第２端末情報及び前記電子マネーの受取額が前記電子マネー管理サーバに送信されるようになっており、
前記電子マネー管理サーバ（３００）は、
前記第１ユーザ端末（Ａ）から、前記第１ユーザ端末（Ａ）の証明情報の少なくとも一部の情報である第１端末情報と、前記第２端末情報とを受信する工程と、
前記第１ユーザ端末（Ａ）から受信した前記第１端末情報が前記電子マネー管理サーバ（３００）に格納されている前記第１の証明情報と対応しているか否かの判断と、前記第２端末情報が前記電子マネー管理サーバ（３００）に格納されている前記第２の証明情報と対応しているか否かの判断とを少なくとも行うことにより、前記第１ユーザ端末（Ａ）および前記第２ユーザ端末（Ｂ）の認証を行う認証工程と、
前記第１ユーザ端末（Ａ）から、前記第２ユーザへの電子マネーの送金指示と、前記受取額とを受信する指示受信工程と、
前記第１ユーザ端末（Ａ）から受信した前記受取額が前記電子マネー管理サーバ（３００）に記憶されている前記第１ユーザの電子マネーの残額内であるか否かを少なくとも判断する決済判断工程と、
前記決済判断工程において前記残額内であると判断されると、前記第受信した前記送金額／受取額を、前記第１ユーザから前記第２ユーザへの送金する決済処理を行う決済工程と
を行う
ことを特徴とする電子マネー送金方法。
【請求項３】
第１ユーザが有する第１ユーザ端末（Ａ）と、第２ユーザが有する第２ユーザ端末（Ｂ）と、少なくとも前記第２ユーザ端末（Ａ）と通信回線を介して通信可能であり、少なくとも前記第１ユーザの電子マネーを記憶する電子マネー管理サーバ（３００）とを用いて、前記第１ユーザから前記第２ユーザへの電子マネーの送金を行う電子マネー送金方法であって、
前記電子マネー管理サーバ（３００）および前記第１ユーザの端末（Ａ）は、前記第１ユーザの情報および／又はその情報と関連付けられた第１の証明情報を格納しているものであると共に、前記電子マネー管理サーバ（３００）および前記第２ユーザ端末（Ｂ）は、前記第２ユーザの情報および／又はその情報と関連付けられた第２の証明情報を格納しているものであり、
この方法は、
前記送金の際、前記第２ユーザ端末（Ｂ）が、前記第１ユーザ端末（Ａ）が出力した前記第１の証明情報の少なくとも一部を受け取り、前記第２ユーザ端末（Ｂ）を介して前記第１の証明情報の少なくとも一部が前記電子マネー管理サーバに送信されるようになっており、
前記電子マネー管理サーバ（３００）は、
前記第１の証明情報の少なくとも一部を受け取った第２のユーザ端末（Ｂ）が前記電子マネー管理サーバ（３００）に格納されている前記第２の証明情報と対応しているか否かの判断と、前記第１のユーザ端末（Ａ）が前記電子マネー管理サーバ（３００）に格納されている前記第１の証明情報と対応しているか否かの判断を少なくとも行うことにより、前記第１ユーザ端末（Ａ）および前記第２ユーザ端末（Ｂ）の認証を行う認証工程と、
前記第２ユーザから、前記第１ユーザからの電子マネーの受取指示と、受取額とを受信する受信工程と、
前記第２ユーザから受信した前記受取額が前記電子マネー管理サーバ（３００）に記憶されている前記第１ユーザの電子マネーの残額内であるか否かの判断を少なくとも行う決済判断工程と、
前記決済判断工程において前記残額内であると判断されると、前記第３受信手段で受信した前記受取額を、前記第１ユーザから前記第２ユーザへの送金する決済処理を行う決済工程と
を行う
ことを特徴とする電子マネー送金方法。
【請求項４】
請求項１〜３のいずれか１つに記載の電子マネー送金方法において、
前記電子マネーの送金は、第１ユーザが第２ユーザから購入する商品の購入代金の電子マネーによる支払いであり、
前記第２ユーザの端末（Ｂ）には、前記商品の価格を含む商品情報の入力手段が設けられている
ことを特徴とする、電子マネー送金方法。
【請求項５】
請求項１〜３のいずれか１つに記載の電子マネー送金方法において、
前記電子マネー管理サーバ（３００）はさらに、前記第２ユーザが顧客に提供する特典の内容と、前記特典の付与条件とを格納しているものであり、
前記電子マネー管理サーバ（３００）は、
前記送金額又は前記受取額と、前記認証工程、前記指示受信工程、前記決済判断工程若しくは前記決済工程の処理日時と、前記決済工程における前記第１ユーザの電子マネーの減額量のうち少なくとも１つと前記付与条件とを比較することにより、前記付与条件が満たされているか否かを判断する付与判断工程と、
前記付与判断工程で前記付与条件が満たされていると判断されると、前記特典内容に基づき前記第１ユーザの電子マネー口座に特典を付与する特典付与工程と
をさらに行う
ことを特徴とする電子マネー送金方法。
【請求項６】
請求項５に記載の電子マネー送金方法において、この方法は、
前記送金の際、前記第１ユーザ端末（Ａ）が、前記通信回線を介して前記電子マネー管理サーバ（３００）から前記特典の内容に関する特典情報を受信し、受信した前記特典情報を前記第１ユーザ端末（Ａ）の表示装置に表示させる
ことを特徴とする電子マネー送金方法。
【請求項７】
請求項６に記載の電子マネー送金方法において、この方法は、
前記送金の際、前記第１ユーザ端末（Ａ）が、さらに、前記第１ユーザによる前記特典の享受を希望する意思を受付け、受付けた第１ユーザの意思を電子マネー管理サーバ（３００）に送信するようになっており、
前記電子マネー管理サーバ（３００）は、前記第１ユーザの意思を受信する享受意思受信工程をさらに有し、
前記特典付与工程では、前記享受意思受信工程で前記第１ユーザの意思を受信しており、前記付与判断工程で前記付与条件が満たされていると判断されると、前記特典内容に基づき前記第１ユーザの電子マネー口座に特典を付与する
ことを特徴とする電子マネー送金方法。
【請求項８】
請求項５に記載の電子マネー送金方法において、
前記特典付与工程において、前記特典の付与として前記第１ユーザの電子マネー口座の残額を前記特典内容に基づき増加させる
ことを特徴とする電子マネー送金方法。
【請求項９】
請求項５に記載の電子マネー送金方法において、
前記第１ユーザ端末（Ａ）は、自らの位置情報を検出する位置情報検出機能と、検出した位置情報を前記電子マネー管理サーバ（３００）に送信する位置情報送信機能とを備えているものであり、
前記電子マネー管理サーバ（３００）は、
前記第１ユーザ端末（Ａ）から受信する前記位置情報および／又は前記第１ユーザ情報に基づき、前記第１ユーザに適した特典内容を選択する特典内容選択工程と、
前記特典内容選択工程によって選択された特典内容に関する特典情報を前記第１ユーザ端末（Ａ）に送信する選択特典内容送信工程と、
を行う
ことを特徴とする電子マネー送金方法。
【請求項１０】
第１ユーザが有する第１ユーザ端末（Ａ）と、第２ユーザが有する第２ユーザ端末（Ｂ）と、少なくとも前記第１ユーザ端末（Ｂ）と通信回線を介して通信可能であり、少なくとも前記第１ユーザの電子マネーを記憶する電子マネー管理サーバ（３００）とを有し、前記第１ユーザから前記第２ユーザへの電子マネーの送金を行う電子マネー送金システムであって、
前記電子マネー管理サーバ（３００）および前記第１ユーザの端末（Ａ）は、前記第１ユーザの情報および／又は前記第１ユーザ端末（Ａ）の情報と関連付けられた第１の証明情報を格納しているものであると共に、前記電子マネー管理サーバ（３００）および前記第２ユーザ端末（Ｂ）は、前記第２ユーザの情報および／又は前記第２ユーザ端末（Ｂ）の情報と関連付けられた第２の証明情報を格納しているものであり、
このシステムは、
前記送金の際、前記第１ユーザ端末（Ａ）が、前記第２ユーザ端末（Ｂ）の前記第２の証明情報の少なくとも一部の情報である第２端末情報と、前記第２ユーザが前記第１ユーザから受取る電子マネーの受取額とを受け取り、この第１ユーザ端末（Ａ）を介して前記第２端末情報及び前記電子マネーの受取額が前記電子マネー管理サーバ（３００）に送信されるようになっており、
前記電子マネー管理サーバ（３００）は、
前記第１ユーザ端末（Ａ）から、前記第１ユーザ端末（Ａ）の証明情報の少なくとも一部の情報である第１端末情報と、前記第２端末情報とを受信する手段と、
前記第１ユーザ端末（Ａ）から受信した前記第１端末情報が前記電子マネー管理サーバ（３００）に格納されている前記第１の証明情報と対応しているか否か、および前記第２端末情報が前記電子マネー管理サーバ（３００）に格納されている前記第２の証明情報と対応しているか否かを少なくとも判断することにより、前記第１ユーザ端末（Ａ）および前記第２ユーザ端末（Ｂ）の認証を行う認証手段と、
前記第１ユーザ端末（Ａ）から、前記第２ユーザへの電子マネーの送金指示と、前記受取額とを受信する指示受信手段と、
前記第１ユーザ端末（Ａ）から受信した前記受取額が前記電子マネー管理サーバ（３００）に記憶されている前記第１ユーザの電子マネーの残額内であるか否かを少なくとも判断する決済判断手段と、
前記決済判断手段において前記残額内であると判断されると、前記第受信した前記送金額／受取額を、前記第１ユーザから前記第２ユーザへの送金する決済処理を行う決済手段と
を有する
ことを特徴とする電子マネー送金システム。
【請求項１１】
第１ユーザが有する第１ユーザ端末（Ａ）と、第２ユーザが有する第２ユーザ端末（Ｂ）と、少なくとも前記第２ユーザ端末（Ａ）と通信回線を介して通信可能であり、少なくとも前記第１ユーザの電子マネーを記憶する電子マネー管理サーバ（３００）とを用いて、前記第１ユーザから前記第２ユーザへの電子マネーの送金を行う電子マネー送金システムであって、
前記電子マネー管理サーバ（３００）および前記第１ユーザの端末（Ａ）は、前記第１ユーザの情報および／又はその情報と関連付けられた第１の証明情報を格納しているものであると共に、前記電子マネー管理サーバ（３００）および前記第２ユーザ端末（Ｂ）は、前記第２ユーザの情報および／又はその情報と関連付けられた第２の証明情報を格納しているものであり、
このシステムは、
前記送金の際、前記第２ユーザ端末（Ｂ）が、前記第１ユーザ端末（Ａ）から前記第１の証明情報の少なくとも一部を受け取り、前記第２ユーザ端末（Ｂ）を介して前記第１の証明情報の少なくとも一部を前記電子マネー管理サーバに送信されるようになっており、
この電子マネー管理サーバ（３００）は、
前記第１の証明情報の少なくとも一部を受け取った第２のユーザ端末（Ｂ）が前記電子マネー管理サーバ（３００）に格納されている前記第２の証明情報と対応しているか否か、および前記第１のユーザ端末（Ａ）が前記電子マネー管理サーバ（３００）に格納されている前記第１の証明情報と対応しているか否かを少なくとも判断することにより、前記第１ユーザ端末（Ａ）および前記第２ユーザ端末（Ｂ）の認証を行う認証手段と、
前記第２ユーザから、前記第１ユーザからの電子マネーの受取指示と、受取額とを受信する指示受信手段と、
前記第２ユーザから受信した前記受取額が前記電子マネー管理サーバ（３００）に記憶されている前記第１ユーザの電子マネーの残額内であるか否かの判断を少なくとも行う決済判断手段と、
前記決済判断手段において前記残額内であると判断されると、前記第３受信手段で受信した前記受取額を、前記第１ユーザから前記第２ユーザへの送金する決済処理を行う決済手段と
を有する
ことを特徴とする電子マネー送金システム。
【請求項１２】
請求項１０又は１１に記載の電子マネー送金システムにおいて、
前記電子マネーの送金は、第１ユーザが第２ユーザから購入する商品の購入代金の電子マネーによる支払いであり、
前記第２ユーザの端末（Ｂ）には、前記商品の価格を含む商品情報の入力手段が設けられている
ことを特徴とする、電子マネー送金システム。
【請求項１３】
請求項１０又は１１に記載の電子マネー送金システムにおいて、
前記電子マネー管理サーバ（３００）はさらに、前記第２ユーザが顧客に提供する特典の内容と、前記特典の付与条件とを格納しているものであり、
前記電子マネー管理サーバ（３００）は、
前記送金額又は前記受取額と、前記認証手段、前記指示受信手段、前記決済判断手段若しくは前記決済手段の処理日時と、前記決済手段における前記第１ユーザの電子マネーの減額量のうち少なくとも１つと前記付与条件とを比較することにより、前記付与条件が満たされているか否かを判断する付与判断手段と、
前記付与判断手段で前記付与条件が満たされていると判断されると、前記特典内容に基づき前記第１ユーザの電子マネー口座に特典を付与する特典付与手段と
をさらに行う
ことを特徴とする電子マネー送金システム。
【請求項１４】
請求項１３に記載の電子マネー送金システムにおいて、このシステムは、
前記送金の際、前記第１ユーザ端末（Ａ）が、前記通信回線を介して前記電子マネー管理サーバ（３００）から前記特典の内容に関する特典情報を受信し、受信した前記特典情報を前記第１ユーザ端末（Ａ）の表示装置に表示させる
ことを特徴とする電子マネー送金システム。
【請求項１５】
請求項１４に記載の電子マネー送金システムにおいて、このシステムは、
前記送金の際、前記第１ユーザ端末（Ａ）が、さらに、前記第１ユーザによる前記特典の享受を希望する意思を受付け、受付けた第１ユーザの意思を電子マネー管理サーバ（３００）に送信するようになっており、
前記電子マネー管理サーバ（３００）は、前記第１ユーザの意思を受信する享受意思受信手段をさらに有し、
前記特典付与手段は、前記享受意思受信手段で前記第１ユーザの意思を受信しており、前記付与判断手段で前記付与条件が満たされていると判断されると、前記特典内容に基づき前記第１ユーザの電子マネー口座に特典を付与する
ことを特徴とする電子マネー送金システム。
【請求項１６】
請求項１３に記載の電子マネー送金システムにおいて、
前記特典付与手段は、前記特典の付与として前記第１ユーザの電子マネー口座の残額を前記特典内容に基づき増加させるものである
ことを特徴とする電子マネー送金システム。
【請求項１７】
請求項１３に記載の電子マネー送金システムにおいて、
前記第１ユーザ端末（Ａ）は、自らの位置情報を検出する位置情報検出機能と、検出した位置情報を前記電子マネー管理サーバ（３００）に送信する位置情報送信機能とを備えているものであり、
前記電子マネー管理サーバ（３００）は、
前記第１ユーザ端末（Ａ）から受信する前記位置情報および／又は前記第１ユーザ情報に基づき、前記第１ユーザに適した特典内容を選択する特典内容選択手段と
前記特典内容選択手段によって選択された特典内容に関する特典情報を前記第１ユーザ端末（Ａ）に送信する選択特典内容送信手段と、
を行う
ことを特徴とする電子マネー送金システム。